(57)【要約】【課題】  プラントに悪影響を与えないで検証を行うことができるプラント運転装置を実現する。【解決手段】  所定の手順に従ってプラント運転を実行するプラント運転装置に関するものである。プラントからのデータを運転実行手段に入力し、この入力に応じた運転実行手段の出力を表示手段に表示する試運転モードを用意することによって、運転実行手段の動作検証を支援する。【選択図】                    図１
2004295924.tif 000002
【特許請求の範囲】
【請求項１】
所定の手順に従ってプラント運転を実行するプラント運転装置において、
プラントからのデータを入力し、この入力に応じてプラント運転を実行するための信号を出力する運転実行手段と、
この運転実行手段の出力を表示する表示手段と、
を有し、プラントからのデータを運転実行手段に入力し、この入力に応じた運転実行手段の出力を前記表示手段に表示する試運転モードを用意することによって、運転実行手段の動作検証を支援することを特徴とするプラント運転装置。
【請求項２】
所定の手順に従ってプラント運転を実行するプラント運転装置において、
プラントからのデータを用意した仮想プラントが存在する検証情報記憶手段と、
前記仮想プラントからのデータを読み出すメモリ制御手段と、
このメモリ制御手段で読み出したデータを入力し、この入力に応じてプラント運転を実行するための信号を出力する運転実行手段と、
この運転実行手段の出力を表示する表示手段と、
を有し、仮想プラントからのデータを運転実行手段に入力し、この入力に応じた運転実行手段の出力を前記表示手段に表示する試運転モードを用意することによって、運転実行手段の動作検証を支援することを特徴とするプラント運転装置。
【請求項３】
前記メモリに書き込みを行い、仮想プラントに用意するデータを変更する入力手段を有することを特徴とする請求項７記載のプラント運転装置。
【発明の詳細な説明】
【技術分野】
【０００１】
本発明は、化学プラント、鉄鋼プラント等の運転に適用され、所定の手順に従って運転を実行するプラント運転装置に関するものである。更に詳しくは、プラントに悪影響を与えないで検証を行うための工夫を施したプラント運転装置に関するものである。
【背景技術】
【０００２】
従来、プラント運転装置を検証するときは、プラントからのデータをプラント運転装置に入力し、この入力に応じてプラント運転装置が運転実行のための信号をプラントに与え、与えた信号を検証していた。
【０００３】
特許文献１には、プラントに与えた操作指令候補の実行がプラントに悪影響を与えないかを検証するプラント制御システムが記載されている。
【０００４】
【特許文献１】特開平４−３０６７０３号公報
【発明の開示】
【発明が解決しようとする課題】
【０００５】
しかし、従来における検証のしかたでは、プラント運転装置がプラントに信号を与えているため、プラント運転装置が誤動作しているときはプラントに対して異常信号を与えることがある。これにより、プラントに悪影響を与えることがあるという問題点があった。
【０００６】
本発明は上述した問題点を解決するためになされたものであり、プラントに対して信号を与えないで検証を行うことによって、プラントに悪影響を与えないで検証することができるプラント運転装置を実現することを目的とする。
【課題を解決するための手段】
【０００７】
このような課題を解決するために、本発明は次のとおりの構成になっている。
【０００８】
（１）所定の手順に従ってプラント運転を実行するプラント運転装置において、
プラントからのデータを入力し、この入力に応じてプラント運転を実行するための信号を出力する運転実行手段と、
この運転実行手段の出力を表示する表示手段と、
を有し、プラントからのデータを運転実行手段に入力し、この入力に応じた運転実行手段の出力を前記表示手段に表示する試運転モードを用意することによって、運転実行手段の動作検証を支援することを特徴とするプラント運転装置。
【０００９】
（２）所定の手順に従ってプラント運転を実行するプラント運転装置において、
プラントからのデータを用意した仮想プラントが存在する検証情報記憶手段と、
前記仮想プラントからのデータを読み出すメモリ制御手段と、
このメモリ制御手段で読み出したデータを入力し、この入力に応じてプラント運転を実行するための信号を出力する運転実行手段と、
この運転実行手段の出力を表示する表示手段と、
を有し、仮想プラントからのデータを運転実行手段に入力し、この入力に応じた運転実行手段の出力を前記表示手段に表示する試運転モードを用意することによって、運転実行手段の動作検証を支援することを特徴とするプラント運転装置。
【００１０】
（３）前記メモリに書き込みを行い、仮想プラントに用意するデータを変更する入力手段を有することを特徴とする（２）記載のプラント運転装置。
【発明の効果】
【００１１】
以上説明したことから明らかなように、本発明によれば次のような効果がある。
（１）プラントから信号をもらうが、プラントに対しては信号を与えないで検証を行っている。このため、プラントに悪影響を与えることなく検証を行うことができる。
（２）仮想プラントとの間で信号をやりとりして検証を行っている。このため、実プラントがなくても検証を行うことができる。
（３）仮想プラントを用意したデータを変更することにより、プラントから上がってくる擬似入力を様々に変えて検証を行うことができる。これにより、検証にバリエーションをもたせることができる。
【発明を実施するための最良の形態】
【００１２】
以下、図面を用いて本発明を詳細に説明する。
図１は本発明の一実施例を示す構成図である。
この実施例は試運転モードを用意したプラント運転装置である。
【００１３】
図１で、アイコン用メモリ３０は、プラント運転で行う各作業を絵で表わしたアイコンとこのアイコンの作業を実行する既製のプログラムとを関連付けて用意している。用意するアイコンとしては、例えば、図２に示すアイコンがある。
【００１４】
アイコン接続手段３１は、アイコン用メモリ３０からアイコンを選択し、選択したアイコンを表示手段３２の画面上で接続し、プラント運転の作業手順を示した作業手順図を画面上に作成する。作業手順図は、例えば、フローチャートである。作成した作業手順図としては、例えば、図３及び図４に示すフローチャートがある。
【００１５】
情報生成手段３３は、アイコン接続手段３１で作成した作業手順を実行するための情報を生成する。生成する情報としては、例えば、アイコンに付けた順番の情報、アイコンの接続情報等がある。情報生成手段３３で生成した情報（実行情報）は記憶手段３４に落とし込まれる。
【００１６】
運転実行手段３５は、プラントＰＬＴからのデータ（例えばプロセスデータ）を入力し、この入力に応じてプラント運転を実行するための信号を出力する。この出力は検証情報記憶手段５０に落とし込まれる。落とし込まれた出力情報はメモリ制御手段５１により読み出され、表示手段３２で画面表示される。
【００１７】
図１の実施例で、試運転モードに入ると、運転実行手段３５はプラントＰＬＴからのデータを入力し、この入力に応じた出力を発生する。この出力は表示手段３２に画面表示される。オペレータは画面表示された出力を見て運転実行手段３５が正常にプラント運転をしているかどうかを検証する。
この実施例ではプラントから信号をもらうが、プラントに対しては信号を与えないで検証を行っている。このため、プラントに悪影響を与えることなく検証を行うことができる。
【００１８】
図５は本発明の他の実施例を示す構成図である。
この実施例も試運転モードを用意したプラント運転装置である。
検証情報記憶手段５０には、プラントから上がってくるデータと同じデータを用意した仮想プラント５２が存在している。仮想プラント５２は、例えばデータテーブルで構成される。
【００１９】
図５の実施例で、メモリ制御手段５１は、仮想プラント５２からのデータを読み出す。読み出したデータは擬似的なプラントからの入力として運転実行手段３５に与えられる。運転実行手段３５は、読み出したデータを入力し、この入力に応じてプラント運転を実行するための信号を出力する。この出力は表示手段３２に画面表示される。オペレータは画面表示された出力を見て運転実行手段３５が正常にプラント運転をしているかどうかを検証する。
【００２０】
オペレータは、入力手段３６とメモリ制御手段５１を介して仮想プラント５２のデータを変更することができる。これによって、擬似的なプラントからの入力を変更できる。
この実施例では、仮想プラントを用意することにより、実プラントとの間で信号のやりとりをしないで（オフラインで）検証を行っている。このため、プラントに悪影響を与えることなく検証を行うことができる。
【図面の簡単な説明】
【００２１】
【図１】本発明の一実施例を示す構成図である。
【図２】工程部品アイコンの例を示した図である。
【図３】業務フローの例を示した図である。
【図４】業務フローの例を示した図である。
【図５】本発明の他の実施例を示す構成図である。
【符号の説明】
【００２２】
３２  表示手段
３５  運転実行手段
３６  入力手段
５０  検証情報記憶手段
５１  メモリ制御手段
５２  仮想プラント
【図１】
2004295924.tif 000003
【図２】
2004295924.tif 000004
【図３】
2004295924.tif 000005
【図４】
2004295924.tif 000006
【図５】
2004295924.tif 000007